(57)【特許請求の範囲】
【請求項１】
空気調和機本体と、
この空気調和機本体に設けられ、当該空気調和機本体を遠隔操作する遠隔操作器から発せられた光信号を受信する受信器と、
前記空気調和機本体の前面パネルに設けられた開口部に装着され、前記遠隔操作器からの前記光信号を選択的にかつ高透過率で透過させるフィルタ材料を備えてなり、断面略Ｌ字形状で当該Ｌ字の一辺に相当する面が下方を向き当該Ｌ字の他辺に相当する面が前記受信器の受光面と対向した厚さが略一定の板状であって、前記受信器側の表面に凹凸模様の凹凸加工部が形成された受光フィルタと、
を備えることを特徴とする空気調和機。
【請求項２】
空気調和機本体の前面パネルに設けられた開口部に装着され、前記空気調和機本体を遠隔操作する遠隔操作器から発せられた光信号を受信する受信器を保護するとともに、前記遠隔操作器からの前記光信号を選択的に透過させる板状の受光フィルタであって、
高透過率のフィルタ材料を備えてなるとともに、断面略Ｌ字形状で当該Ｌ字の一辺に相当する面が下方を向き当該Ｌ字の他辺に相当する面が前記受信器の受光面と対向した厚さが略一定の板状であって、前記受信器側の表面に凹凸模様の凹凸加工部が形成されていることを特徴とする空気調和機の受光フィルタ。
【発明の詳細な説明】
【技術分野】
【０００１】
この発明は、空気調和機および受光フィルタに関するものであり、具体的には、リモコンから発せられた光信号を選択的に透過させる受光フィルタを備えた空気調和機およびその受光フィルタに関するものである。
【背景技術】
【０００２】
従来の受光フィルタは、その受光面の裏面をレンズ状に凸形状とし、かつ粗面とすることで、リモコン信号の受信到達距離を拡張している（例えば、特許文献１参照。）。
【先行技術文献】
【特許文献】
【０００３】
【特許文献１】特開平５−２２３２７５号公報（第５〜６頁、第１３図）
【発明の概要】
【発明が解決しようとする課題】
【０００４】
しかしながら、特許文献１の受光フィルタは、受光フィルタの形状が平面状もしくは平面に近い形状について適用することができたが、受光フィルタの形状がより複雑な場合、例えば断面Ｌ字型などのように複数の面をもつ場合または半球面の場合には、受光フィルタ上にレンズ形状を形成することが困難であった。また、特許文献１の空気調和機では、受光フィルタの裏面にレンズ形状を設けること及びそのレンズ形状により集光効果を得る必要があることから、受光フィルタと受信器との間の距離を一定以上確保しなければならず、両者の距離に制約があった。
【０００５】
この発明は、上記に鑑みてなされたもので、受光フィルタと受信器との間の距離の制約がなく、様々な形状の受光フィルタ、例えば断面Ｌ字型などの複数の面または半球面などの複雑な面をもつ受光フィルタにも適用でき、意匠性を悪化させることなく、リモコン信号の受信到達距離を拡張することができる空気調和機および受光フィルタを提供することを目的とする。
【課題を解決するための手段】
【０００６】
上述した課題を解決し、目的を達成するために、本発明に係る空気調和機は、空気調和機本体と、この空気調和機本体に設けられ、当該空気調和機本体を遠隔操作する遠隔操作器から発せられた光信号を受信する受信器と、前記空気調和機本体の前面パネルに設けられた開口部に装着され、前記遠隔操作器からの前記光信号を選択的にかつ高透過率で透過させるフィルタ材料を備えてなる板状であって、前記受信器側の表面に凹凸模様の凹凸加工部が形成された受光フィルタと、を備えることを特徴とする。
【発明の効果】
【０００７】
この発明によれば、受光フィルタと受信器との間の距離の制約がなく、様々な形状の受光フィルタに適用することができ、意匠性を悪化させずに、遠隔操作器の光信号の受信到達距離を拡張することができる、という効果を奏する。
【図面の簡単な説明】
【０００８】
【図１】図１は、実施の形態に係る空気調和機の外観の一例を示す図である。
【図２】図２は、空気調和機本体１に設けられた受信部の断面構成の一例を示す図である。
【図３】図３は、実施の形態における自然光８の反射の様子を示した図である。
【図４】図４は、従来の空気調和機本体に設けられた受信部の断面構成の一例を示す図である。
【発明を実施するための形態】
【０００９】
以下に、本発明に係る空気調和機および受光フィルタの実施の形態を図面に基づいて詳細に説明する。なお、この実施の形態によりこの発明が限定されるものではない。
【００１０】
実施の形態．
図１は、本実施の形態に係る空気調和機の外観の一例を示す図である。図１に示すように、空気調和機は、空気調和機本体１と、この空気調和機本体１の前面（意匠面）を覆う前面パネル２０に設けられた開口部２１に装着され、空気調和機本体１に設けられた後述の受信器を保護するとともに、リモコン３から発せられる特定波長の光信号４（リモコン信号）を選択的に透過させる受光フィルタ２と、前記特定波長の光信号４を発信して空気調和機の運転、停止、およびその他の操作を行うことを可能とするリモコン３（遠隔操作器）とを備えている。なお、空気調和機本体１は室内ユニットである。
【００１１】
図２は、空気調和機本体１に設けられた受信部の断面構成の一例を示す図である。図２に示すように、プリント配線板６上には受信器５が配置され、プリント配線板６はプリント配線板保持部７によって保持されている。なお、プリント配線板保持部７は、空気調和機本体１に取り付けられている。受信器５は、受光面２２を介して受信した光信号４を検出し、この光信号４を電気信号に変換して出力し、これにより空気調和機本体１の動作が制御される。受光面２２の形状は例えば略半球状である。
【００１２】
受光フィルタ２は、受信器５を覆うように配置構成されている。受光フィルタ２は、リモコン３からの光信号４を選択的に透過させるフィルタ材料を備えて構成されている。また、受光フィルタ２は、例えば断面Ｌ字形状である。具体的には、受光フィルタ２は、薄板状の平板部２ａとこれに略直交する薄板状の平板部２ｂとからなる。平板部２ａは、受信器５の前面（正面）に配置され、受信器５と対向しており、さらに前面パネル２０と同一面となるよう配置されている。一方、平板部２ｂは、受信器５の側方でかつ下方に配置されている。光信号４は、平板部２ａ，２ｂのいずれを透過しても受光フィルタ２の内部に進行可能である。
【００１３】
さらに、受光フィルタ２の受信器５側の面（以下、裏面という。）には、例えばシボ加工等の凹凸加工が施され、微細な凹凸模様からなる凹凸加工部１２が形成されている。すなわち、平板部２ａ，２ｂの双方の裏面には凹凸加工部１２が形成され、受光フィルタ２の裏面の例えば全面にわたって凹凸加工部１２が形成されている。
【００１４】
次に、本実施の形態の動作について図３を用いて説明する。図３は、本実施の形態における自然光８の反射の様子を示した図である。図３に示すように、受光フィルタ２の外部から内部へ入射する自然光８は、受光フィルタ２の裏面の凹凸加工部１２により拡散され、その一部は受信器５により反射され、さらにこの反射光９は、凹凸加工部１２により乱反射および乱屈折される。そのため、受光フィルタ２を透過した反射光９を外部から観測しても、乱反射等の効果により、受光フィルタ２内部の受信器５の形状を視認することは困難である。そして、受光フィルタ２の外部から受光フィルタ２内部の受信器５を視認することが困難であることから、受光フィルタ２の色をより薄くすることで透過率を高く設定できる。つまり、意匠性を悪化させることなく、受光フィルタ２の透過率を高く設定できる。すなわち、本実施の形態では、受光フィルタ２の透過率を従来使用されている受光フィルタの透過率に比べて高く設定することができる。このように受光フィルタ２の透過率を高くすることで、受光フィルタ２を透過するリモコン３の光信号４の光強度の減衰を小さくできるので、光信号４の受信到達距離を拡張することができる。
【００１５】
続いて、リモコン３を出射した光信号４の受信動作について説明する（図２参照）。光信号４が受光フィルタ２の例えば平板部２ａを透過して受光フィルタ２の内部に進行すると、光信号４は例えば斜め上方に向かって受光フィルタ２に進入し、自然光８の場合と同様に、光フィルタ２の裏面の凹凸加工部１２により拡散される。したがって、この拡散効果により、リモコン３が受信器５に対して一定の角度範囲に属していない場合でも、光信号４は受光面２２で受信され易くなる。
【００１６】
なお、図示はしていないが、光信号４が受光フィルタ２の平板部２ｂを透過して受光フィルタ２の内部に進行する場合も同様である。この場合、光信号４は、平板部２ａから進入する場合よりも水平方向からのより大きな角度をもってほぼ上方に向かって受光フィルタ２に進入し、上記と同様に受光フィルタ２の裏面の凹凸加工部１２により拡散される。したがって、この拡散効果により、光信号４は受光面２２で受信され易くなる。特に、受光面２２は平板部２ａに対向しているので、光信号４が平板部２ｂから進入する場合は、受信器５の実質的な受光面積が小さくなっている。そのため、拡散効果がない場合は、リモコン３を受信器５に向けるときの角度に指向性が要求されるが、本実施の形態のように凹凸加工部１２を設けることにより、リモコン３が受信器５に対して一定の角度範囲に属していない場合でも、光信号４は受光面２２で受信され易くなる。
【００１７】
次に、本実施の形態と対比するために従来の受光フィルタについて説明する。図４は、従来の空気調和機本体に設けられた受信部の断面構成の一例を示す図である。なお、図４では、図２と同一の構成要素には同一の符号を付している。図４に示すように、従来の受光フィルタ１００は、その裏面は凹凸がなく平面状である。受光フィルタ１００の外部から内部へ入射する自然光１０８は、受光フィルタ１００を透過し、受信器５で反射された後、この反射光１０９は受光フィルタ１００を透過して外部へ出射される。従って、受光フィルタ１００の透過率を高くした場合、受光フィルタ１００外部から反射光１０９を観測することで受光フィルタ１００内部の受信器５の形状を視認することができる。つまり、意匠性が悪化してしまう。意匠性を悪化させないためには、受光フィルタ１００の透過率を、本実施の形態に係る受光フィルタ２の透過率に比べて低く設定する必要がある。図４では、受光フィルタ１００を黒色で表し、図２では、受光フィルタ２をより薄い色で表すことで、受光フィルタ１００の透過率が受光フィルタ２と比べて低いことを示している。また、受光フィルタ１００の透過率を低く設定すると、リモコン３の光信号４の受信到達距離が短くなってしまう。
【００１８】
以上のように、本実施の形態によれば、受光フィルタ２の裏面に凹凸加工部１２を形成することにより、受信器５で反射された反射光９が凹凸加工部１２により乱反射および乱屈折されるので、受光フィルタ２の外部から内部を視認することが困難となり、従って、従来に比べて透過率の高い受光フィルタ２を使用できることで意匠性を保ちつつリモコン３の光信号４の受信到達距離を拡張することができる。
【００１９】
また、本実施の形態では、受光フィルタ２は薄板状であって、特許文献１のように受光フィルタの裏面を凸形状としていないので、集光効果を確保するために受光フィルタ２と受信器５との間の距離を一定以上確保する必要はなく、よって受光フィルタ２と受信器５との間の距離に制約がない。
【００２０】
また、本実施の形態は、任意の形状の受光フィルタ２に適用することができる。例えば光信号４が入射する側の受光フィルタ２の表面が複数の平面から形成されるような形状とすることもできる。すなわち、図２では、受光フィルタ２は例えば断面Ｌ字形状としたが（二の平面を有する。）、これに限定されず、光信号４が入射する側の受光フィルタ２の表面を例えば三以上の平面から形成されるようにしてもよい。さらにまた、受光フィルタ２の形状を例えば半球状または球面の一部の形状等とすることもできる。これらいずれの場合も、薄板状の受光フィルタ２を対応する形状とした後に、その裏面に凹凸加工（シボ加工）を施して、凹凸加工部２０を形成する。一方、特許文献１では、受光フィルタの裏面を凸形状に加工するため、受光フィルタの形状は平面状もしくは平面に近い形状とすることが好ましく、例えば断面Ｌ字型などの複数の面をもつ場合または半球面などの場合に、受光フィルタ上にレンズ形状を形成することは困難であった。
【００２１】
以上説明したように、本実施の形態によれば、受光フィルタ２と受信器５との間の距離の制約がなく、様々な形状の受光フィルタに適用することができ、意匠性を悪化させずに、リモコン３の光信号４の受信到達距離を拡張することができる、という効果を奏する。
【産業上の利用可能性】
【００２２】
本発明は、製品の意匠性を悪化させることなく、リモコンなどの光信号の到達距離を延ばす機能を備えた受光フィルタおよびその受光フィルタを備えた空気調和機として有用である。
【符号の説明】
【００２３】
１  空気調和機本体
２，１００  受光フィルタ
２ａ，２ｂ  平板部
３  リモコン
４  光信号
５  受信器
６  プリント配線板
７  プリント配線板保持部
８，１０８  自然光
９，１０９  反射光
１２  凹凸加工部
２１  開口部
２２  受光面
【図１】
0005312436.tif 000002
【図２】
0005312436.tif 000003
【図３】
0005312436.tif 000004
【図４】
0005312436.tif 000005